(57)【要約】      （修正有）【課題】ロングガードルに関し、製品は弛みや引き連れを生ぜずに、着用時のヒット感に優れ、ダブ付きや窮屈感を覚えず、過度の負荷がかかる部分で縫い目が目開きしたり、縫糸が疲労により解れることなく構造的に堅牢であり、着用時には円滑に着用したり、脱ぐことができ、着用後には歩行が爽快に行え、ヒップアップ機能を発揮する。【解決手段】パンティ部２とレッグ部３，３が前傾されたロングガードル１であり、前身頃Ｆの左右１対の前身頃構成部片４,４と、左右外側の１対の太股外側覆布片５,５と、後身頃Ｂの左右１対の後身中心覆片６,６とで構成され、隣接する構成部片の縫着寸法のうち、前身頃構成部片の縫着寸法よりも太股外側覆布片の縫着寸法を長く設け、太股外側覆布片の縫着寸法よりも後身中心覆片の縫着寸法を長く設け、長い方の縫着寸法の構成部片を短い方の縫着寸法の構成部片にいせ込んで立体的に縫着される。【選択図】図１
0003118217.tif 000002
【実用新案登録請求の範囲】
【請求項１】
パンティ部とレッグ部とを備え、前記パンテイ部に対して前記レッグ部が側面において僅かに前傾されたロングガードルであって、
前記ロングガードルは前記パンティ部の前身頃を形成する左右１対の前身頃構成部片と、左右外側を覆う１対の太股外側覆布片と、後身頃を構成する左右１対の後身中心覆片との各構成部片で構成され、
前記前身頃構成部片と、前記太股外側覆布片と、前記後身中心覆片とは隣接する構成部片の縫着寸法のうち、前記前身頃構成部片の縫着寸法よりも前記太股外側覆布片の縫着寸法を長く設け、且つ前記太股外側覆布片の縫着寸法よりも前記後身中心覆片の縫着寸法を長く設け、長い方の縫着寸法の構成部片を短い方の縫着寸法の構成部片に対していせ込むことにより立体的に縫着されたことを特徴とするロングガードル。
【請求項２】
パンティ部とレッグ部とを備え、前記パンテイ部に対して前記レッグ部が側面において僅かに前傾されたロングガードルであって、
前記パンティ部のウェストラインから前記レッグ部の裾口に到る前身頃を形成する左右１対の前身頃構成部片と、
前記パンティ部のウェストラインの側部から胎盤の左右の外側、太股の外側を経て前記レッグ部の裾口に到る縦長の端部広帯状の１対の太股外側覆布片と、
前記パンティ部のウェストラインの背部から臀部を経て前記レッグ部の背部の裾口に到る側面縦長に設けられるとともにヒップラインから股間に到る横幅が幅広に設けられた１対の後身中心覆布片とを縫着して形成され、
前記前身頃構成部片と前記太股外側覆布片との縫合線での前記前身頃構成部片に対する太股外側覆片の縫着寸法を長く設けることによりいせこんで縫着し、前記太股外側覆布片と前記後身中心覆布片との縫合線での前記太股外側覆布片に対する後身中心覆布片の縫着寸法を長く設けていせこむことにより立体的に縫着したことを特徴とするロングガードル。
【請求項３】
パンティ部とレッグ部とを備え、前記パンテイ部に対して前記レッグ部が側面において僅かに前傾されたロングガードルであって、
前記パンティ部のウェストラインから前記レッグ部の裾口に到る前身頃を形成する左右１対の前身頃構成部片と、
前記パンティ部のウェストラインの側部から胎盤の左右の外側、太股の外側を経て前記レッグ部の裾口に到る縦長の端部広帯状の１対の太股外側覆布片と、
前記パンティ部のウェストラインの背部から臀部を経て前記レッグ部の背部の裾口に到る側面縦長に設けられるとともにヒップラインから股間に到る横幅が幅広に設けられた１対の前記後身中心覆布片とを縫着して形成され、
前記前身頃構成部片と前記太股外側覆布片との縫合線での前記前身頃構成部片に対する太股外側覆片の縫着寸法を長く設けることによりいせこんで縫着し、
前記太股外側覆布片と前記後身中心覆布片との縫合線での前記太股外側覆布片に対する後身中心覆布片の縫着寸法を長く設けていせこむことにより縫着し、
前記前身頃構成部片が、前記パンティ部を形成する前身頃上部構成部片と、前記レッグ部を形成する前身頃下部構成部片とにより太股の付け根の曲線に沿って縫着して形成され、
前記前身頃上部構成部片と前記前身頃下部構成部片との縫合線での前記前身頃上部構成部片に対する前記前身頃下部構成部片の縫着寸法を長く設けることによりいせこんで立体的に縫着したことを特徴とするロングガードル。
【請求項４】
前記前身頃構成部片と、前記太股外側覆布片と、前記後身中心覆布片とは伸縮布または非伸縮布により形成されることを特徴とする請求項１−３の何れか１の請求項に記載のロングガードル。
【請求項５】
前記前身頃下部構成部片には非着用時に横方向に向いた多数のギャザーが配列されたことを特徴とする請求項１−４の何れか１の請求項に記載のロングガードル。
【請求項６】
前記パンティ部の側面中心線に対する前記レッグ部の側面中心線の交差角度が１６〜２４°に形成されることを特徴とする請求項１−５の何れか１の請求項に記載のロングガードル。
【考案の詳細な説明】
【技術分野】
【０００１】
本考案はロングガードルに関し、パンティ部とレッグ部とを備え、立体縫製により着用時のヒット感に優れ、またパンテイ部に対してレッグ部が側面において僅かに前傾されたことにより前足の繰り出しが容易で爽快な歩行が行え、また太股とヒップとに負荷がかかり、太股の引き締めとヒップアップとが有効に発揮される。
【背景技術】
【０００２】
従来、着用した人の腹部及びヒップ部を覆うパンティ部と太股を覆う筒状のレッグ部とから構成され、前記パンティ部によって腹部を押えるとともにヒップ部を持ち上げるようにしたロングガードルであって、前記レッグ部の中心線が側方から見て前記パンティ部の中心線に対して２０°〜６５°の角度範囲内の角度をなす一方、前記パンティ部のヒップ部側の部分の中央が背骨から恥骨に至る形状に沿った形状をなすとともに、その両側部分がヒップ部の左右の盛り上がり部分を丸みをもって包み込む形状をなしているものがあった。また、このロングガードルは、前記パンティ部と前記レッグ部との前身頃を構成するように裁断された左右１対の前側パーツと、左右の側方パーツと、前記パンティ部と前記レッグ部との後身頃を構成するように被着者の背骨から恥骨に至る形状に裁断された後側パーツとの縫合縁を相互に縫着し、この縫合縁に糸ゴムを縫合したり、ゴムバンドを縫付けることにより形成される構成である。そして、レッグ部の中心線が側方から見てパンティ部の中心線に対して２０°〜６５°の角度範囲内の角度をなすように構成したことにより座り姿勢では、レッグ部がパンティ部に対して曲がり姿勢を採ることにより、太股の付根の皺の発生を軽減する。また、立ち姿勢では、レッグ部がパンティ部の中心線方向に伸ばされ、パンティ部の腹部側部分が引っ張られ、下腹部を押付けるようにしたものがあった（例えば特許文献１参照）。
【特許文献１】特開２０００−２３９９０２号公報
【考案の開示】
【考案が解決しようとする課題】
【０００３】
ところで、上記特許文献１に記載の上記従来のロングガードルは、パンティ部とレッグ部との前身頃を構成するように裁断された前側パーツと、左右の側方パーツと、パンティ部とレッグ部との後身頃を構成する後側パーツとを裁断したものの縫合縁をただ単に相互に縫着する構成であり、立体縫製が考慮されたものではないので、縫着により出来上がった製品を被着者が着用した場合に、被着者の体形に合致するものとは云えず、下肢に密着せずにヒット感に欠けるため、構成部片としての布片には局部的な弛みを生じたり、反対に強く引かれて引き連れを生ずる。このように、従来のロングガードルは、被着者が着用した場合に、着用時のヒット感が劣り、ダブ付いたり、反対に窮屈感や圧迫感を覚えるものであった。
【０００４】
また、特許文献１に記載の上記従来のロングガードルは、前述のように、パンティ部とレッグ部との前身頃を構成するように裁断された前側パーツと、左右の側方パーツと、前記パンティ部と前記レッグ部との後身頃を構成する後側パーツとの縫合縁をただ単に相互に縫着するものであるので、各パーツ相互は縫合縁相互が立体縫製ではなく平面的に縫付けられているのにすぎない構成のため、歩行したり、運動したりした場合に、強く引かれて過度の負荷がかかる部分での縫い目が目開きしたり、縫糸が疲労により解れを生ずるという欠点があり、構造的に脆弱である。
【０００５】
しかも、特許文献１に記載の上記従来のロングガードルは、レッグ部の中心線が側方から見てパンティ部の中心線に対して２０°〜６５°の角度をなすように構成されるので、
着用したり、歩行する立ち姿勢では、レッグ部がパンティ部の中心線方向に伸ばされ、パンティ部の腹部側部分が引っ張られて下腹部を補正するが、ロングガードルの後身頃側、例えばヒップ部分には弛みを生じてダブ付くことによりヒップアップ等の体形の補正機能が損なわれたり、多くの皺を生じてスカート、ズボン等のアウターの上にラインが表れ、見苦しいものであった。このようなヒップ部分の弛みを生じてダブ付くことによりヒップアップ等の体形の補正機能が損なわれる等の不都合を防止する工夫として特許文献１に記載の上記従来のロングガードルでは、後身頃を構成するように被着者の背骨から恥骨に至る形状に裁断された後側パーツ相互の縫合縁に糸ゴムを縫合したり、ゴムバンドを縫付けることによりゴムバンド等の伸縮力により後側パーツを臀裂に沿って引き上げ、ヒップ部分等が弛みを生じてダブ付くのを防止するという工夫を施さなければならなかった。
【０００６】
さらに、特許文献１に記載の上記従来のロングガードルは、レッグ部の中心線が側方から見てパンティ部の中心線に対して２０°〜６５°の急角度に形成されているので、着用時にレッグ部内に両足を挿入するのに両足の爪先がレッグ部内で引っ掛かり、着用が円滑に行えなかった。
【０００７】
本考案はかかる問題点を解決するものであり、出来上がった製品は局部的な弛みや、引き連れを生ぜずに、着用時のヒット感に優れ、ダブ付きや窮屈感、圧迫感を覚えず、歩行や運動により過度の負荷がかかる部分で縫い目が目開きしたり、縫糸が疲労により解れることなく構造的に堅牢であり、また、着用時には足の爪先がレッグ部内に引っ掛かることなく、円滑に着用したり、脱ぐことができ、しかも着用後には歩行が円滑かつ爽快に行え、ヒップアップ機能を有効に発揮するロングガードルを提供することを目的とする。
【課題を解決するための手段】
【０００８】
本考案は上記課題に鑑みてなされ請求項１に記載の考案は、
パンティ部とレッグ部とを備え、前記パンテイ部に対して前記レッグ部が側面において僅かに前傾されたロングガードルであって、
前記ロングガードルは前記パンティ部の前身頃を形成する左右１対の前身頃構成部片と、左右外側を覆う１対の太股外側覆布片と、後身頃を構成する左右１対の後身中心覆片とで構成され、
隣接する構成部片の縫着寸法のうち、前記前身頃構成部片の縫着寸法よりも前記太股外側覆布片の縫着寸法を長く設け、且つ前記太股外側覆布片の縫着寸法よりも前記後身中心覆片の縫着寸法を長く設け、長い方の縫着寸法の構成部片を短い方の縫着寸法の構成部片に対していせ込むことにより立体的に縫着されたことを特徴とする。
【０００９】
また、本考案の請求項２の考案は、パンティ部とレッグ部とを備え、前記パンテイ部に対して前記レッグ部が側面において僅かに前傾されたロングガードルであって、
前記パンティ部のウェストラインから前記レッグ部の裾口に到る前身頃を形成する左右１対の前身頃構成部片と、
前記パンティ部のウェストラインの側部から胎盤の左右の外側、太股の外側を経て前記レッグ部の裾口に到る縦長の端部広帯状の１対の太股外側覆布片と、
前記パンティ部のウェストラインの背部から臀部を経て前記レッグ部の背部の裾口に到る側面縦長に設けられるとともにヒップラインから股間に到る横幅が幅広に設けられた１対の後身頃としての後身中心覆布片とを縫着して形成され、
前記前身頃構成部片と前記太股外側覆布片との縫合線での前記前身頃構成部片に対する太股外側覆片の縫着寸法を長く設けることによりいせこんで縫着し、
前記太股外側覆布片と前記後身中心覆布片との縫合線での前記太股外側覆布片に対する後身中心覆布片の縫着寸法を長く設けていせこむことにより立体的に縫着したことを特徴とする。
【００１０】
また、本考案の請求項３に記載の考案は、パンティ部とレッグ部とを備え、前記パンテイ部に対して前記レッグ部が側面において僅かに前傾されたロングガードルであって、
前記パンティ部のウェストラインから前記レッグ部の裾口に到る前身頃を形成する左右１対の前身頃構成部片と、
前記パンティ部のウェストラインの側部から胎盤の左右の外側、太股の外側を経て前記レッグ部の裾口に到る縦長帯状の１対の太股外側覆布片と、
前記パンティ部のウェストラインの背部から臀部を経て前記レッグ部の背部の裾口に到る側面縦長に設けられるとともにヒップラインから股間に到る横幅が幅広に設けられた１対の後見頃としての後身中心覆布片とを縫着して形成され、
前記前身頃構成部片と前記太股外側覆布片との縫合線での前記前身頃構成部片に対する太股外側覆片の縫着寸法を長く設けることによりいせこんで縫着し、
前記太股外側覆布片と前記後身中心覆布片との縫合線での前記太股外側覆布片に対する後身中心覆布片の縫着寸法を長く設けていせこむことにより縫着し、
前記前身頃構成部片が、前記パンティ部を形成する前身頃上部構成部片と、前記レッグ部を形成する前身頃下部構成部片とにより太股の付け根の曲線に沿って縫着して形成され、
前身頃上部構成部片と前記前身頃下部構成部片との縫合線での前記前身頃上部構成部片に対する前記前身頃下部構成部片の縫着寸法を長く設けることによりいせこんで立体的に縫着したことを特徴とする。
【００１１】
また、本考案の請求項４に記載の考案は、請求項１−３の何れかにおいて前記前身頃構成部片と、前記太股外側覆布片と、前記後身中心覆布片とは伸縮布または非伸縮布により形成されることを特徴とする。
【００１２】
また、本考案の請求項５に記載の考案は、請求項１−４の何れか１の請求項において、前記前身頃下部構成部片には非着用時に横方向に向いた多数のギャザーが配列されたことを特徴とする。
【００１３】
また、本考案の請求項６に記載の考案は、請求項１−５の何れか１の請求項において、前記パンティ部の側面中心線に対する前記レッグ部の側面中心線の交差角度が１６〜２４°に形成されることを特徴とする。
【考案の効果】
【００１４】
本考案は上記課題に鑑みてなされ請求項１に記載の考案によれば、パンティ部とレッグ部とを備え、前記パンテイ部に対して前記レッグ部が側面において僅かに前傾されたロングガードルであって、前記ロングガードルは前記パンティ部の前身頃を形成する左右１対の前身頃構成部片と、左右外側を覆う１対の太股外側覆布片と、後身頃を構成する左右１対の後身中心覆片とで構成され、隣接する構成部片の縫着寸法のうち、前記前身頃構成部片の縫着寸法よりも前記太股外側覆布片の縫着寸法を長く設け、且つ前記太股外側覆布片の縫着寸法よりも前記後身中心覆片の縫着寸法を長く設け、長い方の縫着寸法の構成部片を短い方の縫着寸法の構成部片に対していせ込むことにより立体的に縫着されたことを特徴とするので、出来上がった製品は立体的に縫着されるため、局部的な弛みや、引き連れを生ぜず、着用時のヒット感に優れ、ダブ付きや窮屈感、圧迫感を覚えず、歩行が円滑かつ爽快に行え、ヒップアップ機能を有効に発揮し、また、歩行や運動により過度の負荷がかかる部分で縫い目が目開きしたり、しかも、縫糸が疲労により解れずに構造的に堅牢である。
【００１５】
また、本考案の請求項２に記載の考案によれば、パンティ部とレッグ部とを備え、前記パンテイ部に対して前記レッグ部が側面において僅かに前傾されたロングガードルであって、前記パンティ部のウェストラインから前記レッグ部の裾口に到る前身頃を形成する前身頃構成部片と、前記パンティ部のウェストラインの側部から胎盤の外側、太股の外側を経て前記レッグ部の裾口に到る端部広帯状の太股外側覆布片と、前記パンティ部のウェストラインの背部から臀部を経て前記レッグ部の背部の裾口に到る側面縦長に設けられるとともにヒップラインから股間に到る横幅が幅広に設けられた後身頃としての後身中心覆布片とを縫着して形成され、前記前身頃構成部片と前記太股外側覆布片との縫合線での前記前身頃構成部片に対する太股外側覆片の縫着寸法を長く設けることによりいせこみ、前記太股外側覆布片と前記後身中心覆布片との縫合線での前記太股外側覆布片に対する後身中心覆布片の縫着寸法を長く設けていせこむことにより縫着したことを特徴とするので、出来上がった製品は立体的に縫着されるため、局部的な弛みや、引き連れを生ぜず、着用時のヒット感に優れ、ダブ付きや窮屈感、圧迫感を覚えず、歩行が円滑かつ爽快に行え、ヒップアップ機能を有効に発揮し、また、歩行や運動により過度の負荷がかかる部分で縫い目が目開きしたり、しかも、縫糸が疲労により解れずに構造的に堅牢である。
【００１６】
また、本考案の請求項３に記載の考案によれば、パンティ部とレッグ部とを備え、前記パンテイ部に対して前記レッグ部が側面において僅かに前傾されたロングガードルであって、前記パンティ部のウェストラインから前記レッグ部の裾口に到る前身頃を形成する前身頃構成部片と、前記パンティ部のウェストラインの側部から胎盤の外側、太股の外側を経て前記レッグ部の裾口に到る縦長の端部広帯状の太股外側覆布片と、前記パンティ部のウェストラインの背部から臀部を経て前記レッグ部の背部の裾口に到る側面縦長に設けられるとともにヒップラインから股間に到る横幅が幅広に設けられた後身頃としての後身中心覆布片とを縫着して形成され、前記前身頃構成部片と前記太股外側覆布片との縫合線での前記前身頃構成部片に対する太股外側覆片の縫着寸法を長く設けることによりいせこみ、前記太股外側覆布片と前記後身中心覆布片との縫合線での前記太股外側覆布片に対する後身中心覆布片の縫着寸法を長く設けていせこむことにより縫着し、前記前身頃構成部片が、前記パンティ部を形成する前身頃上部構成部片と、前記レッグ部を形成する前身頃下部構成部片とにより太股の付け根に沿って縫着して形成され、前身頃上部構成部片と前身頃下部構成部片との縫合線での前身頃上部構成部片に対する前身頃下部構成部片の縫着寸法を長く設けることによりいせこんで縫着したことを特徴とするので、出来上がった製品は立体的に縫着されるため、局部的な弛みや、引き連れを生ぜず、着用時のヒット感に優れ、ダブ付きや窮屈感、圧迫感を覚えず、歩行が円滑かつ爽快に行え、ヒップアップ機能を有効に発揮し、また、歩行や運動により過度の負荷がかかる部分で縫い目が目開きしたり、しかも、縫糸が疲労により解れずに構造的に堅牢である。
【００１７】
また、本考案の請求項４に記載の考案によれば、請求項１−３において、前記前身頃構成部片と、前記太股外側覆布片と、前記後身中心覆布片とは伸縮布または非伸縮布により形成されることを特徴とするので、被着者の腹の弛みは伸縮布または非伸縮布によって押さえ付けられ、また、伸縮布により太股は引き締められ、さらには伸縮布によりヒップアップがはかれる。
【００１８】
また、本考案の請求項５に記載の考案によれば、請求項１−４の何れか１の請求項において、前記前身頃下部構成部片には非着用時に横方向に向いた多数のギャザーが配列されたことを特徴とするので、ガードルを着用すると、ギャザーが縦方向に開いてヒット感を発揮する。
【００１９】
また、本考案の請求項６に記載の考案によれば、請求項１−５の何れか１の請求項において、前記パンティ部の側面中心線に対する前記レッグ部の側面中心線の交差角度が１６〜２４°に形成されることを特徴とするので、歩行の際の前足の繰り出しが容易になり、また太股から後足には負荷がかかり、運動力がかかるため、ヒップアップが確実に行える。
【考案を実施するための最良の形態】
【００２０】
以下、図面に従って本考案を実施するための最良の形態ににつき、詳細に説明する。
【００２１】
図１は本考案のロングガードルの実施形態１を示す拡大側面図、図２は同じく本実施形態１のロングガードルを示す正面図、図３は同じく本実施形態１のロングガードルを構成する構成部片のうち左右対称のうち右側のみを示した展開図である。
【００２２】
本実施形態１は、パンティ部２とレッグ部３,３とを備え、前記パンテイ部２に対して前記レッグ部３,３が側面において僅かに前傾されたロングガードル１である点は例えば特許文献１と同様構造である。
【００２３】
しかしながら、本実施形態１のロングガードル１では、前記パンティ部２の側面中心線Ｉに対する前記レッグ部３,３の側面中心線Ｉ′の交差角度αが１６〜２４°の緩やかな交差角度αにより形成されていることにより後述のように歩行の際の前足の繰り出しが容易になり、また太股から後足には負荷がかかり、運動力がかかるため、ヒップアップが確実に行える。
【００２４】
そして、本実施形態１のロングガードル１は、前記パンティ部２の前身頃Ｆを形成する左右１対の前身頃構成部片４,４と、左右外側を覆う１対の太股外側覆布片５,５と、後身頃Ｂを構成する左右１対の後身中心覆片６,６とで構成され、隣接する構成部片の縫着寸法のうち、前記前身頃構成部片４,４の縫着寸法ｌ１よりも前記太股外側覆布片５,５の縫着寸法ｌ′１を長く設け、且つ前記太股外側覆布片５,５の縫着寸法ｌ２よりも前記後身中心覆片６,６の縫着寸法ｌ′２を長く設け、長い方の縫着寸法ｌ′１,ｌ′２の構成部片を短い方の縫着寸法ｌ１,ｌ２の構成部片に対していせ込むことにより立体的に縫着されたことを特徴とする。
【００２５】
すなわち、本実施形態１では、前記パンティ部２のウェストラインＷから前記レッグ部３,３の裾口３ａ,３ａに到る前身頃Ｆを形成する前記前身頃構成部片４,４と、前記パンティ部２のウェストラインＷの側部から胎盤の外側、太股の外側を経て前記レッグ部３,３の裾口３ａ,３ａに到る縦長の端部広帯状の太股外側覆布片５,５と、前記パンティ部２のウェストラインＷの背部から臀部を経て前記レッグ部３,３の背部の裾口３ａ,３ａに到る側面縦長に設けられてヒップラインＰから股間に到る横幅が幅広に設けられた後身頃Ｂとしての後身中心覆布片６,６とを縫着して形成される。そして、前記前身頃構成部片４,４と前記太股外側覆布片５,５との縫合線Ｌ1での前記前身頃構成部片４,４の縫着寸法ｌ１に対する太股外側覆片５,５の縫着寸法ｌ′１を長く設けることによりいせこみにより縫着し、前記太股外側覆布片５,５と前記後身中心覆布片６,６との縫合線Ｌ２での前記太股外側覆布片５,５の縫着寸法ｌ２に対する後身中心覆布片６,６の縫着寸法ｌ′２を長く設けていせこむことにより縫着し、前記前身頃構成部片４,４が、前記パンティ部２を形成する前身頃上部構成部片４Ａ,４Ａと、前記レッグ部３,３を形成する前身頃下部構成部片４Ｂ,４Ｂとにより太股の付け根Ｎ,Ｎの曲線に沿って縫着して形成され、前身頃上部構成部片４Ａ,４Ａと前身頃下部構成部片４Ｂ,４Ｂとの縫合線Ｌ３での前身頃上部構成部片４Ａ,４Ａの縫着寸法ｌ３に対する前身頃下部構成部片４Ｂ,４Ｂの縫着寸法ｌ′３を長く設けることによりいせこんで立体的に縫着される。
【００２６】
この際、縫合線Ｌ1での前記前身頃構成部片４,４の縫着寸法ｌ１に対する太股外側覆片５,５の縫着寸法ｌ′１の差は約４．３ｍｍほどであり、また、縫合線Ｌ２での前記太股外側覆布片の縫着寸法ｌ２に対する後身中心覆布片６,６の縫着寸法ｌ′２の差は約２．０ｍｍであるが、これらの寸法差はこれに限ることなく、被着者の体形の大小に応じて増減変更は自由に行える。
【００２７】
このように、パンティ部２のウェストラインＷから前記レッグ部３,３の裾口３ａ,３ａに到る前身頃Ｆを形成する前記前身頃構成部片４,４と、前記パンティ部２のウェストラインＷの側部から胎盤の外側、太股の外側を経て前記レッグ部３,３の裾口３ａ,３ａに到る縦長の端部広帯状の太股外側覆布片５,５と、前記パンティ部２のウェストラインＷの背部から臀部を経て前記レッグ部３,３の裾口３ａ,３ａに到る側面縦長に設けられてヒップラインＰから股間に到る横幅が幅広に設けられた後身頃Ｂとしての後身中心覆布片６,６とを縫着するのに、前身頃構成部片４,４と太股外側覆布片５,５との縫合線Ｌ1での前身頃構成部片４,４の縫着寸法ｌ１に対する太股外側覆片５,５の縫着寸法ｌ′１を長く設け、また、太股外側覆布片５,５と後身中心覆布片６,６との縫合線Ｌ２での太股外側覆布片５,５の縫着寸法ｌ２に対する後身中心覆布片６,６の縫着寸法ｌ′２を長く設けていせこんで縫着するため、本実施形態１のロングガードル１は縫着することによりパンティ部２および左右のレッグ部３,３は立体的に仕上がる。
【００２８】
また、前記前身頃構成部片４,４と、前記太股外側覆布片５,５と、前記後身中心覆布片６,６とはそれぞれ伸縮布Ｓ１,Ｓ２,Ｓ３で形成されるか、または非伸縮布Ｎ1により形成される。このように、前記前身頃構成部片４,４と、前記太股外側覆布片５,５と、前記後身中心覆布片６,６とをそれぞれ伸縮布Ｓ１,Ｓ２,Ｓ３で形成したのは、前記前身頃構成部片４,４と、前記太股外側覆布片５,５と、前記後身中心覆布片６,６とで協同して被着者の腹の弛みは伸縮布Ｓ１,Ｓ２,Ｓ３、または非伸縮布Ｎ1によって押さえ付けられ、また、伸縮布Ｓ１,Ｓ２,Ｓ３により太股は引き締められ、さらには伸縮布Ｓ２,Ｓ３によりヒップアップがはかれる。
【００２９】
７は前記前身頃下部構成部片４Ｂ,４Ｂに図１に示すように非着用時に横方向に向いて配列された多数のギャザーであり、このギャザー７はロングガードル１を着用すると、パンティ部２に対して前傾していたレッグ部３,３が伸長して縦方向に伸び開くことによってその形がなくなって被着者の体形に密着してヒット感を発揮するためのものである。
【００３０】
８は前記パンテイ部２のウエスト開口部、および前記レッグ部３,３の裾口３ａ,３ａの背部に設けられたパアワーネットゴムであり、このパアワーネットゴム８はめくり上がるのと滑りを防止するためにパアワーネットゴム等により締付力が発揮される。
【００３１】
９は股間に縫着される添設布片であり、吸汗性、吸湿性、保温性を発揮されるものが使用される。
【００３２】
本実施形態１のロングガードル１は上記構成からなり、ロングガードル１が、パンティ部２の側面中心線Ｉに対するレッグ部３,３の側面中心線Ｉ′の交差角度αが１６〜２４°の緩やかに形成されることによりパンテイ部２に対してレッグ部３,３が側面において僅かに前傾されているので、被着者が着用する場合に、左右のレッグ部３,３内に足先を挿入すると爪先が引っ掛かることなく、被着者はスムーズにロングガードル１を着用することができる。
【００３３】
本実施形態１のロングガードル１は前述のようにロングガードル１のパンティ部２の側面中心線Ｉに対するレッグ部２,２の側面中心線Ｉ′の交差角度αが１６〜２４°の緩やかに形成されるので、ロングガードル１を着用して立ち姿勢になった場合に、レッグ部３,３がパンティ部２の中心線方向Ｉに伸ばされても前身頃下部構成部片４Ｂ,４Ｂに横方向に向いて配列されている多数のギャザー７,７が伸びることにより前身頃下部構成部片４Ｂ,４Ｂは太股部に密着して必要以上に引っ張られることがないとともに後身中心覆布片６,６が有効に伸縮力を発揮することによりロングガードル１の後身頃側、例えばヒップ部分に弛みを生じてダブ付くことがないため、体形の補正機能が損なわれることなく、しかも、多くの皺を生ずることがなく、スカート、ズボン等のアウターの上にはラインが表れなず、外観的に体裁が良い。
【００３４】
従って、本実施形態１のロングガードル１では、特許文献１に記載の上記従来のロングガードルのように、後身頃を構成するように被着者の背骨から恥骨に至る形状に裁断された後側パーツとの縫合縁に糸ゴムを縫合したり、ゴムバンドを縫付けることによりゴムバンド等の伸縮力により後側パーツを臀裂に沿って引き上げてヒップ部分の弛みやダブ付きが生ずるのを防止するという方策を施す必要がなく、糸ゴム等の取付作業や縫合作業を施す手間が省け、履き心地が良いとともに製作コストが安価になる。
【００３５】
しかも、本実施形態１でのロングガードル１は、前身頃構成部片４,４が、パンティ部２を形成する前身頃上部構成部片４Ａ,４Ａと、レッグ部３,３を形成する前身頃下部構成部片４Ｂ,４Ｂとが太股の付け根Ｎ,Ｎの曲線に沿って縫着して形成され、前身頃上部構成部片４Ａ,４Ａと前身頃下部構成部片４Ｂ,４Ｂとの縫合線Ｌ３での前身頃上部構成部片４Ａ,４Ａの縫着寸法ｌ３に対する前身頃下部構成部片４Ｂ,４Ｂの縫着寸法ｌ′３を長く設けることによりいせこんで前身頃Ｆは立体的に縫着されるので、被着者がロングガードル１を着用した場合に、パンティ部２は腹部、ヒップに弛みを生ぜずに密着して着用することができ、レッグ部３,３は太股の付け根Ｎ,Ｎ付近に弛みや皺を生ぜずに、ヒット感を発揮して着用することができる。
【００３６】
また、本実施形態１のロングガードル１では、前身頃下部構成部片４Ｂには非着用時に横方向に向いた多数のギャザー７が配列されているので、ロングガードル１を着用して立ち姿勢になると、図１においてレッグ部３,３がパンティ部２の中心線方向Ｉに伸ばされてギャザー７が縦方向に開いて前身頃下部構成部片４Ｂ,４Ｂ伸長するため、レッグ部３,３はヒット感を発揮して着用される。
【００３７】
こうして、本実施形態１のロングガードル１は被着者の体形を考慮した立体的に縫着されるため、被着者が着用した場合に、例えば特許文献１に記載した従来のロングガードル１とは異なり、ダブ付きや窮屈感、圧迫感を覚えず、しかも局部的な引き連れを生ぜず、着用時のヒット感に優れている。また、歩行や運動により過度の負荷がかかる部分で縫い目が目開きしたり、しかも、縫糸が疲労により解れずに構造的に堅牢である。
【００３８】
また、前記前身頃構成部片４,４と、前記太股外側覆布片５,５と、前記後身中心覆布片６,６とはそれぞれ伸縮布Ｓ１,Ｓ２,Ｓ３により形成されるので、被着者の腹の弛みは伸縮布Ｓ１によって形成された前身頃構成部片４,４の伸縮力によって押さえ付けられ、腹部の弛み等の体形が補正される。
【００３９】
しかも、前身頃構成部片４,４を本実施形態１のように、前身頃上部構成部片４Ａと、前身頃下部構成部片４Ｂとを上下に配列して構成する場合には、前身頃上部構成部片４Ａは必ずしも伸縮布Ｓ１により形成しなくても被着者の腹の弛みは非伸縮布Ｎ１によって形成された前身頃上部構成部片４Ａの押さえ付けにより体形を補正することもできる。
【００４０】
また、太股は伸縮布Ｓ１により形成された前身頃構成部片４,４と伸縮布Ｓ２により形成された端部広幅状の前記太股外側覆布片５,５と、太股外側覆布片５,５の伸縮力により引き締められる。さらに臀部は、伸縮布Ｓ２により形成された太股外側覆布片５,５と、伸縮布Ｓ３により形成された後身中心覆布片６,６とのそれぞれの伸縮力により引き締められる。
【００４１】
そして、本実施形態１のロングガードル１は、前記パンティ部２の側面中心線Ｉに対する前記レッグ部３,３の側面中心線Ｉ′の交差角度αが１６〜２４°の緩やかに形成されるので、歩行の際の前足の繰り出しが容易になるとともに、後足には前足の繰出しよりは大きな負荷がかかって運動力が大きくなるため、太股の引き締めとヒップアップとが確実に行える。
【産業上の利用可能性】
【００４２】
本考案は、出来上がった製品は局部的な弛みや、引き連れを生ぜずに、着用時のヒット感に優れ、ダブ付きや窮屈感、圧迫感を覚えず、歩行や運動により過度の負荷がかかる部分で縫い目が目開きしたり、縫糸が疲労により解れることなく構造的に堅牢であり、また、着用時には足の爪先がレッグ部内に引っ掛かることなく、円滑に着用したり、脱ぐことができ、しかも着用後には歩行が円滑かつ爽快に行え、ヒップアップ機能を有効に発揮するという用途・機能に適する。
【図面の簡単な説明】
【００４３】
【図１】図１は本考案のロングガードルの実施形態１を示す拡大側面図である。
【図２】図２は同じく本実施形態１のロングガードルを示す正面図である。
【図３】図３は同じく本実施形態１のロングガードルを構成する構成部片のうち左右対称のうち右側のみを示した展開図である。
【符号の説明】
【００４４】
１      ロングガードル
２      パンティ部
３      レッグ部
４      前身構成部片
５      太股外側覆布片
６      後身中心覆片
７      ギャザー
Ｂ      後身頃
Ｆ      前身頃
Ｌ１    縫合縁
Ｌ２    縫合縁
Ｌ３    縫合縁
ｌ１    縫着寸法
ｌ′１  縫着寸法
ｌ２    縫着寸法
ｌ′２  縫着寸法
ｌ３    縫着寸法
ｌ′３  縫着寸法
Ｎ      太股の付け根
【図１】
0003118217.tif 000003
【図２】
0003118217.tif 000004
【図３】
0003118217.tif 000005